(57)【要約】【課題】視聴可能な放送局を容易に選局することができるデジタル放送受信装置を提供する。【解決手段】放送用受信部１１は、各放送局の位置を示す放送局位置情報を含む放送局リストを受信する。現在位置情報取得部１２は、現在位置情報を取得する。距離算出部３２は、放送用受信部１１が取得した放送局リストに含まれる放送局位置情報と現在位置情報取得部１２が取得した現在位置情報とから、現在位置から各放送局までの距離をそれぞれ算出する。プリセット処理部３３は、距離算出部３２が算出した現在位置から各放送局までの距離に基づいて、前記各放送局のチャンネル情報にプリセット番号をそれぞれ関連付けたプリセット情報４２を記憶部４に記憶させる。【選択図】図１
2012191345.tif 000002
【特許請求の範囲】
【請求項１】
各放送局の位置を示す放送局位置情報と前記各放送局のチャンネル情報とを含む放送局リストを、デジタル放送に含めて放送する送信部を備えるデジタル放送送信装置と、
前記デジタル放送を受信して、このデジタル放送に含まれる前記放送局リストを取得する放送用受信部、
現在位置情報を取得する現在位置情報取得部、
前記放送用受信部が取得した前記放送局リストに含まれる前記放送局位置情報と前記現在位置情報取得部が取得した前記現在位置情報とから、現在位置から各放送局までの距離をそれぞれ算出する距離算出部、
前記距離算出部が算出した前記現在位置から各放送局までの距離に基づいて、前記各放送局のチャンネル情報にプリセット番号をそれぞれ関連付けたプリセット情報を記憶部に記憶させるプリセット処理部を備えるデジタル放送受信装置と
を備えることを特徴とするデジタル放送送受信システム。
【請求項２】
各放送局の位置を示す放送局位置情報と前記各放送局のチャンネル情報とを含む放送局リストを含んで放送されるデジタル放送を受信して、前記放送局リストを取得する放送用受信部と、
現在位置情報を取得する現在位置情報取得部と、
前記放送用受信部が取得した前記放送局リストに含まれる前記放送局位置情報と前記現在位置情報取得部が取得した前記現在位置情報とから、現在位置から各放送局までの距離をそれぞれ算出する距離算出部と、
前記距離算出部が算出した前記現在位置から各放送局までの距離に基づいて、前記各放送局のチャンネル情報にプリセット番号をそれぞれ関連付けたプリセット情報を記憶部に記憶させるプリセット処理部と
を備えることを特徴とするデジタル放送受信装置。
【請求項３】
デジタル放送送信装置が、各放送局の位置を示す放送局位置情報と前記各放送局のチャンネル情報とを含む放送局リストを、デジタル放送に含めて放送する送信ステップと、
デジタル放送受信装置が、
前記デジタル放送を受信して、このデジタル放送に含まれる前記放送局リストを取得する受信ステップと、
現在位置情報を取得する現在位置情報取得ステップと、
前記放送用受信ステップにおいて取得した前記放送局リストに含まれる前記放送局位置情報と前記現在位置情報取得ステップにおいて取得した前記現在位置情報とから、現在位置から各放送局までの距離をそれぞれ算出する距離算出ステップと、
前記距離算出ステップにおいて算出した前記現在位置から各放送局までの距離に基づいて、前記各放送局のチャンネル情報にプリセット番号をそれぞれ関連付けたプリセット情報を記憶するプリセット処理ステップと
を含むことを特徴とするデジタル放送送受信方法。
【発明の詳細な説明】
【技術分野】
【０００１】
本発明は、視聴可能な放送局の選局が容易なデジタル放送送受信システム、デジタル放送受信装置及びデジタル放送送受信方法に関する。
【背景技術】
【０００２】
日本国内で運用されている地上デジタル放送では、通常の広帯域放送に加えて、ワンセグ放送（ワンセグメント・ローカルサービス）と呼ばれる携帯受信端末向けを主目的とした狭帯域放送も放送されている。一般にワンセグ放送は、広帯域放送と同じ放送周波数でサイマル放送される。このワンセグ放送の放送エリアを極めて狭い範囲に限定し、広帯域放送とは別のコンテンツの放送に用いるための実証試験が現在行なわれている。この、放送エリアを極めて狭い範囲に限定したワンセグ放送を、以下、「エリアワンセグ放送」と呼ぶ。
【０００３】
エリアワンセグ放送は、微弱電力あるいは小電力と呼ばれる極めて小さい送出電力で運用される。微弱電力での放送は、その受信可能エリアは例えば半径３ｍ程度、小電力での放送は、その受信可能エリアは例えば半径１００ｍ程度である。エリアワンセグ放送は、例えば、店舗周辺、あるいはイベント会場周辺等、その受信可能エリア（放送対象エリア）における限定的な情報を、動画、音声あるいはデータ放送等のコンテンツによって、その受信可能エリア内にいるユーザのみに的確に提供できる。エリアワンセグ放送の放送局は、地域、時期によって、頻繁に開局、閉局、変更等がなされる。
【０００４】
テレビやラジオなどの受信装置において、選局を容易にするための機能として、例えば、入力のための複数のボタンと、視聴する頻度の高い放送局の周波数とを関連付けて記憶させるプリセット機能が知られている。特許文献１では、電話の市外局番等の地域を特定する地域記号を入力すると、その地域に対応する周波数データ（放送局）群を、チューナに自動的にプリセットさせることが提案されている。
【０００５】
一方、地上デジタル放送では、デジタル放送に重畳されて送られるＳＤＴＴ（Software Download Trigger Table）と呼ばれる信号を用いて、新規放送局の運用の開始や、既存放送局の周波数等の変更を受信装置に告知することができる（非特許文献１参照）。
【先行技術文献】
【特許文献】
【０００６】
【特許文献１】特開平５−２０６７８４号公報
【非特許文献】
【０００７】
【非特許文献１】地上デジタルテレビジョン放送運用規定  技術資料  ＡＲＩＢ  ＴＲ−Ｂ１４  ４．３版  社団法人  電波産業会
【発明の概要】
【発明が解決しようとする課題】
【０００８】
視聴可能なエリアワンセグ放送の放送局をプリセットする場合、特許文献１の方法では、地域記号と放送局を関連付けた書き換え不可能なテーブルを使うため、エリアワンセグ放送の放送局のように地域、時期等によって頻繁に変化するものには対応できない。全放送局の周波数をスキャンすることによって受信可能な放送局を調べ、プリセットすることは可能である。しかし、スキャンに時間がかかること、移動するたびスキャンが必要という問題がある。
【０００９】
外部から取得されるエリアワンセグ放送局の情報によって、視聴可能な放送局の周波数を取得することが考えられる。非特許文献１に記載された周波数リスト・変更情報等のＳＤＴＴによって新規放送局の情報を得る場合、受信可能エリアが非常に狭く、放送局の詳細な位置情報がＳＤＴＴに含まれていないため、受信装置の位置においてエリアワンセグ放送を受信可能か判断することが困難である。
【００１０】
本発明は、上記問題を鑑み、視聴可能な放送局を容易に選局することができるデジタル放送送受信システム、デジタル放送受信装置及びデジタル放送送受信方法することを目的とする。
【課題を解決するための手段】
【００１１】
上記目的を達成するために、本発明の第１の態様は、各放送局の位置を示す放送局位置情報と前記各放送局のチャンネル情報とを含む放送局リスト（５１）を、デジタル放送に含めて放送する送信部（５２）を備えるデジタル放送送信装置（５）と、前記デジタル放送を受信して、このデジタル放送に含まれる前記放送局リスト（５１）を取得する放送用受信部（１１）、現在位置情報を取得する現在位置情報取得部（１２）、前記放送用受信部（１１）が取得した前記放送局リストに含まれる前記放送局位置情報と前記現在位置情報取得部（１２）が取得した前記現在位置情報とから、現在位置から各放送局までの距離をそれぞれ算出する距離算出部（３２）、前記距離算出部（３２）が算出した前記現在位置から各放送局までの距離に基づいて、前記各放送局のチャンネル情報にプリセット番号をそれぞれ関連付けたプリセット情報（４２）を記憶部（４）に記憶させるプリセット処理部（３３）を備えるデジタル放送受信装置とを備えるデジタル放送送受信システムであることを要旨とする。
【００１２】
本発明の第２の態様は、各放送局の位置を示す放送局位置情報と前記各放送局のチャンネル情報とを含む放送局リスト（５１）を含んで放送されるデジタル放送を受信して、前記放送局リストを取得する放送用受信部（１１）と、現在位置情報を取得する現在位置情報取得部（１２）と、前記放送用受信部（１１）が取得した前記放送局リストに含まれる前記放送局位置情報と前記現在位置情報取得部（１２）が取得した前記現在位置情報とから、現在位置から各放送局までの距離をそれぞれ算出する距離算出部（３２）と、前記距離算出部（３２）が算出した前記現在位置から各放送局までの距離に基づいて、前記各放送局のチャンネル情報にプリセット番号をそれぞれ関連付けたプリセット情報を記憶部（４）に記憶させるプリセット処理部（３３）とを備えるデジタル放送受信装置（１）であることを要旨とする。
【００１３】
本発明の第３の態様は、デジタル放送送信装置（５）が、各放送局の位置を示す放送局位置情報と前記各放送局のチャンネル情報とを含む放送局リスト（５１）を、デジタル放送に含めて放送する送信ステップと、デジタル放送受信装置（１）が、前記デジタル放送を受信して、このデジタル放送に含まれる前記放送局リストを取得する受信ステップと、
現在位置情報を取得する現在位置情報取得ステップと、前記放送用受信ステップにおいて取得した前記放送局リストに含まれる前記放送局位置情報と前記現在位置情報取得ステップにおいて取得した前記現在位置情報とから、現在位置から各放送局までの距離をそれぞれ算出する距離算出ステップと、前記距離算出ステップにおいて算出した前記現在位置から各放送局までの距離に基づいて、前記各放送局のチャンネル情報にプリセット番号をそれぞれ関連付けたプリセット情報を記憶するプリセット処理ステップとを含むデジタル放送送受信方法であることを要旨とする。
【発明の効果】
【００１４】
本発明によれば、視聴可能な放送局を容易に選局することができる。
【図面の簡単な説明】
【００１５】
【図１】本発明の第１の実施の形態に係るデジタル放送送受信システムの基本的な構成を説明する模式的なブロック図である。
【図２】本発明の第１の実施の形態に係るデジタル放送送受信システムにおいて、デジタル放送受信装置のプリセット方法を説明するフローチャートである。
【図３】本発明の第１の実施の形態に係るデジタル放送送受信システムにおいて、特定放送局が送信する放送局リストのデータフォーマットの一例である。
【図４】図３に示すデータフォーマットの内、拡張要素のデータ構造の一例である。
【図５】本発明の第１の実施の形態に係るデジタル放送送受信システムに用いる放送局リストを図示した一例である。
【図６】本発明の第１の実施の形態に係るデジタル放送送受信システムにおいて、デジタル放送受信装置のプリセット方法を説明する図である。
【図７】本発明の第１の実施の形態に係るデジタル放送送受信システムにおいて、デジタル放送受信装置のプリセット情報を説明する図である。
【図８】本発明の第１の実施の形態の応用例に係るデジタル放送送受信システムにおいて、デジタル放送受信装置を図示した一例である。
【図９】本発明の第２の実施の形態に係るデジタル放送送受信システムにおいて、デジタル放送受信装置の放送局情報リストのデータフォーマットの一例である。
【図１０】本発明の第２の実施の形態に係るデジタル放送送受信システムにおいて、デジタル放送受信装置の放送局情報リスト更新方法を説明するフローチャートである。
【図１１】（ａ）〜（ｆ）は、図９に示すデータフォーマットの内、拡張要素のデータ構造の一例である。
【図１２】図９に示すデータフォーマットの種別コードの一例である。
【図１３】本発明の第２の実施の形態に係るデジタル放送送受信システムにおいて、デジタル放送受信装置の自動選局方法を説明するフローチャートである。
【発明を実施するための形態】
【００１６】
次に、図面を参照して、本発明の第１及び第２の実施の形態を説明する。以下の図面の記載において、同一又は類似の部分には同一又は類似の符号を付している。但し、以下に示す第１及び第２の実施の形態は、本発明の技術的思想を具体化するための装置や方法、及びこれらの装置に用いられるプログラムを例示するものであって、本発明の技術的思想は、下記の実施の形態に例示した装置や方法、及びこれらの装置に用いられるプログラムに特定するものでない。本発明の技術的思想は、特許請求の範囲に記載された技術的範囲内において、種々の変更を加えることができる。
【００１７】
（第１の実施の形態）
本発明の第１の実施の形態に係るデジタル放送送受信システムは、図１に示すように、各放送局の物理チャンネル（周波数）を示すチャンネル情報、及び各放送局の位置を示す放送局位置情報を含む放送局リスト５１をデジタル放送に含めて放送する特定放送局５と、特定放送局５を含む種々の放送局のデジタル放送を受信するデジタル放送受信装置１とを備える。
【００１８】
デジタル放送受信装置１は、各放送局からの放送を受信する放送用受信部１１と、ＧＰＳ（Global Positioning System）衛星からの送信される信号に基づいて現在位置を示す現在位置情報を取得する現在位置情報取得部１２と、音声出力部１５と、操作入力部２１と、表示部２２と、デジタル放送受信装置１が行う種々の演算を処理し、デジタル放送受信装置１を制御する処理部３と、各種データや、プログラム等を記憶する記憶部４とを備える。デジタル放送受信装置１は、各放送局からのデジタル放送を受信する可搬型の受信装置であり、例えば、車両（図示省略）に設置され、カーナビゲーションシステム、カーオーディオ、ビデオ装置等と一体に構成されることが可能である。
【００１９】
放送用受信部１１は、各放送局から放送される信号を受信する放送用アンテナ１１１と、処理部３の制御により、放送用アンテナ１１１が受信した信号の各周波数に同調するチューナ部１１２とを備える。放送局リスト５１は、デジタル放送を介して送信される以外に、路側に設置された機器と車両との通信に使用されるＤＳＲＣ（Dedicated Short Range Communication）や、無線インターネット通信、携帯電話回線等を介してデジタル放送受信装置１に送信されても良い。
【００２０】
チューナ部１１２は、設定される所定周波数の放送波の電波強度やＣ／Ｎ比を測定し受信可能か否かを検出する機能や、受信した放送波のセグメント構成やセグメント毎の変調方式や符号化率などの伝送パラメータを示すＴＭＣＣ（Transmission and Multiplexing Configuration Control）情報を読み出す機能を備えている。
【００２１】
チューナ部１１２は、デジタル放送波のうちワンセグ放送の放送波のみ受信できるものであっても良いし、広帯域放送（フルセグ放送または１２セグ放送とも呼ぶ）とワンセグ放送の両方の放送波を受信可能なものであっても良い。
【００２２】
現在位置情報取得部１２は、例えば、ＧＰＳ衛星から送信される信号を受信するＧＰＳ用アンテナ１２１と、ＧＰＳ用アンテナ１２１が受信した信号に基づいて、デジタル放送受信装置１の現在位置を示す現在位置情報を算出する現在位置情報算出部１２２とを備える。現在位置情報を取得する方式は、ＧＰＳに限るものでなく、他の方式により現在位置情報を取得しても良い。
【００２３】
音声出力部１５は、放送用受信部１１が受信したデジタル放送のオーディオデータをデコードし、スピーカ等の出力装置から音声を出力する。
【００２４】
操作入力部２１は、各種スイッチ等の操作入力装置で構成され、ユーザの操作に応じて異なる信号を処理部３に出力する。表示部２２は、ＬＣＤ（Liquid Crystal Display）等のディスプレイ装置で構成される。操作入力部２１及び表示部２２は、操作入力装置とディスプレイ装置を応用した構成として、タッチパネル２を採用しても良い。操作入力部２１は、タッチパネル２に加え、押しボタン（図８、２１０，２１１参照）を備えるようにしても良い。
【００２５】
記憶部４は、デジタル放送受信装置１が行う処理に必要な一連のプログラム等を格納する他、ＳＤＴＴ等の、処理に必要な一時記憶域として用いることができる。記憶部４は、例えば、ＳＲＡＭ、ＤＲＡＭ等の揮発性の記憶装置からなる主記憶装置や、ハードディスク（ＨＤ）等の磁気ディスク、磁気テープ、光ディスク、光磁気ディスク等の不揮発性の記憶装置からなる補助記憶装置である。補助記憶装置としては、その他、ＲＡＭディスク、ＩＣカード、フラッシュメモリカード、ＵＳＢフラッシュメモリ、フラッシュディスク（ＳＳＤ）等が使用可能である。
【００２６】
処理部３は、放送局リスト処理部３１と、距離算出部３２と、プリセット処理部３３と、放送局情報リスト処理部３４と、自動選局処理部３５とを論理構造として有する。なお、図１に示す処理部３、記憶部４を構成する各要素は、論理構造としての表示であり、それぞれ別個のハードウェアにより構成されても良い。
【００２７】
特定放送局５は、エリアワンセグ放送等のデジタル放送をする各放送局の位置を示す放送局位置情報を含む放送局リスト５１を、デジタル放送に含めて放送する送信部５２を備えるデジタル放送送信装置である。特定放送局５は、ワンセグ放送局でない通常の広帯域デジタル放送（フルセグ放送、１２セグ放送とも呼ぶ）を行う放送局であっても良い。
【００２８】
−プリセット−
図２のフローチャートを用いて、第１の実施の形態に係るデジタル放送受信装置１において、視聴可能な放送局をプリセットする方法を説明する。
【００２９】
先ず、ステップＳ１０１において、現在位置情報取得部１２は、ＧＰＳ用アンテナ１２１が受信した信号に基づいて現在位置情報算出部１２２が算出したデジタル放送受信装置１の現在位置情報を取得する。例えば、現在位置情報を、北緯３５度４１分２６．８９秒（以下、緯度は３５°４１’  ２６．８９Ｎという書式で記述する）、東経１３９度４２分３６．２２度（以下、経度は１３９°４２’  ２６．２２Ｅという書式で記述する）とする。
【００３０】
ステップＳ１０２において、処理部３の放送局リスト処理部３１は、チューナ部１１２に、放送局リスト５１を含む信号を放送する特定放送局５の周波数に同調させ、特定放送局５に選局させる。
【００３１】
ステップＳ１０３において、放送局リスト処理部３１は、特定放送局５が放送し、放送用受信部１１が受信して得た放送局リスト５１を放送用受信部１１から取得し、記憶部４に、放送局リスト４１として記憶させる。
【００３２】
本発明の第１の実施の形態において、特定放送局５が放送する、放送局リスト５１を記述するデータフォーマットは、例えば、図３に示すように、非特許文献１の表５−１３「周波数リスト・変更情報のシンタックス」を拡張した書式によって記述される。図３に示すデータ構造の項の内、斜体で示す「ｎｅｗ＿ｌｏｃａｔｉｏｎ＿ｌａｔｉｔｕｄｅ」、「ｎｅｗ＿ｌｏｃａｔｉｏｎ＿ｌｏｎｇｉｔｕｄｅ」、「ｌｏｃａｔｉｏｎ＿ｌａｔｉｔｕｄｅ」、「ｌｏｃａｔｉｏｎ＿ｌｏｎｇｉｔｕｄｅ」の４つの項が、拡張により新たに追加した項である。
【００３３】
「ｎｅｗ＿ｌｏｃａｔｉｏｎ＿ｌａｔｉｔｕｄｅ」は、周波数、出力等の放送局の仕様変更後、または新規に稼働開始した放送局の緯度を示す。「ｎｅｗ＿ｌｏｃａｔｉｏｎ＿ｌｏｎｇｉｔｕｄｅ」は、仕様変更後または新規に稼働開始した放送局の経度を示す。「ｌｏｃａｔｉｏｎ＿ｌａｔｉｔｕｄｅ」は、仕様変更のない放送局の緯度を示す。「ｌｏｃａｔｉｏｎ＿ｌｏｎｇｉｔｕｄｅ」は、仕様変更のない放送局の経度を示す。図３のビット数の項「３２」は、データ幅が３２ビット、ビット列表記「ｓｉｍｓｂｆ」は、最上位ビットが先頭であり符号付整数であることを表す。
【００３４】
放送局の緯度を示す「ｎｅｗ＿ｌｏｃａｔｉｏｎ＿ｌａｔｉｔｕｄｅ」、及び「ｌｏｃａｔｉｏｎ＿ｌａｔｉｔｕｄｅ」の項のデータは、図４に示すように、放送局の緯度が北緯の場合、上位８ビットを全て０とし、上位９ビット目から３２ビット目は緯度を度単位に変換し、１０万倍した値の整数部分を記述される。放送局の緯度が南緯の場合は、上位８ビットは１とし、上位９ビット目から３２ビット目までは緯度を度単位に変換し、１０万倍した値の整数部分の２の補数を記述される。例えば、仕様変更後または新規に稼働開始した放送局の緯度３５°４１’ ２６．８９Ｎを度単位にすると、３５．６９０８０２７８度となる。１０万倍すると３５６９０８０．２７８、小数点以下を四捨五入すると３５６９０８０となる。これを１６進数表記（Ｈｅｘ値）に変換すると、０ｘ００３６７５６８となる。北緯を正、南緯を負として表すので、３５°４１’  ２６．８９Ｎの場合、「ｎｅｗ＿ｌｏｃａｔｉｏｎ＿ｌａｔｉｔｕｄｅ」は、０ｘ００３６７５６８となる。
【００３５】
放送局の経度を示す「ｎｅｗ＿ｌｏｃａｔｉｏｎ＿ｌｏｎｇｉｔｕｄｅ」、及び「ｌｏｃａｔｉｏｎ＿ｌｏｎｇｉｔｕｄｅ」の項のデータは、図４に示すように、放送局の経度が東経の場合、上位７ビットを全て０とし、上位８ビット目から３２ビット目は経度を度単位に変換し、１０万倍した値の整数部分を記述される。放送局の経度が成形の場合は、上位７ビットを全て１とし、上位８ビット目から３２ビット目は経度を度単位に変換し、１０万倍した値の整数部分の２の補数を記述される。例えば、仕様変更後または新規に稼働開始した放送局の経度１３９°４２’  ２６．２２Ｅを度単位にすると、１３９．７０７２８３３度となる。１０万倍すると１３９７０７２８．３３、小数点以下を四捨五入すると１３９７０７２８となる。これを１６進数表記（Ｈｅｘ値）に変換すると、０ｘｄ５２ｄ２８となる。東経を正、西経を負として表すので、１３９°４２’  ２６．２２Ｅの場合、「ｎｅｗ＿ｌｏｃａｔｉｏｎ＿ｌｏｎｇｉｔｕｄｅ」は、０ｘ００ｄ５２ｄ２８となる。
【００３６】
放送局リスト４１は、例えば、図５に示すように、各放送局の物理チャンネルと、各放送局の位置を示す放送局位置情報として、各放送局の緯度、経度とを含む。放送局リスト４１は、その他、図３に示すデータフォーマットの様に、種々のパラメータを含むことができる。
【００３７】
ステップＳ１０４において、距離算出部３２は、ステップＳ１０３において記憶部４に記憶させた、放送局リスト４１に記述される放送局の内、１つの放送局にポインタを設定する。
【００３８】
ステップＳ１０５において、距離算出部３２は、ポインタを設定された放送局について、放送局リスト４１の放送局位置情報と、ステップＳ１０１において現在位置情報取得部１２が取得した現在位置情報とから、現在位置から放送局までの距離を算出する。例えば、デジタル放送受信装置１の現在位置３５°４１’  ２６．８９Ｅ、１３９°４２’  ２６．２２Ｅ、と放送局の位置３５°４１’  ２１．７１Ｅ、１３９°４２’  ２７．９１Ｅの場合、その間の距離は２４４．８ｍとなる。距離算出部３２により算出された距離は、ステップＳ１０６において、放送局リスト４１の各放送局の欄に付加される。
【００３９】
ステップＳ１０７において、距離算出部３２は、直前のステップＳ１０６において距離を算出された放送局が、放送局リスト４１内の最終放送局か否かを判定する。最終放送局と判定する場合は、ポインタを解除し、ステップＳ１０９に進む。最終放送局と判定しない場合はステップＳ１０８に進み、放送局リスト４１の内、未だ距離が算出されない次の放送局にポインタを設定し、ステップＳ１０５に戻る。
【００４０】
ステップＳ１０９において、プリセット処理部３３は、各放送局までの距離がそれぞれ付加された放送局リスト４１を、図６に示すように、距離の近い放送局順にソーティングする。
【００４１】
ステップＳ１１０において、プリセット処理部３３は、プリセット番号の１つを設定する。例えば、プリセット番号が「１」〜「５」（図７、図８参照）まで準備されるとすると、未だプリセットされていないプリセット番号の内、最も小さい番号を設定すれば良い。
【００４２】
ステップＳ１１１において、プリセット処理部３３は、例えば、距離の近い放送局順にソーティングされた放送局リスト４１のうち、最も距離の近い放送局にポインタを設定する。ステップＳ１１２において、プリセット処理部３３は、放送局リスト４１の、ポインタが設定された放送局までの距離が、所定の閾値より小さいか否かを判定する。所定の閾値より小さいと判定する場合は、ステップＳ１１３に進み、設定されているプリセット番号と、ポインタが設定されている放送局の物理チャンネルとを関連付け、図７に示すように、プリセット情報４２として記憶部４に記憶することでプリセットする。ステップＳ１１２において所定の閾値以上と判定する場合は終了する。例えば、閾値を１５０ｍとすると、図６において、３５ｃｈ、２９ｃｈの放送局は、図７に示すプリセット情報のようにプリセットされないことになる。
【００４３】
ステップＳ１１４において、プリセット処理部３３は、直前のステップＳ１１３においてプリセットされた放送局が、放送局リスト４１内の最終放送局か否かを判定する。最終放送局と判定する場合は、ポインタを解除し、終了する。最終放送局と判定しない場合はステップＳ１１５に進み、直前のステップＳ１１３においてプリセットされたプリセット番号が、準備されるプリセット番号の内、最終プリセット番号か否かを判定する。最終プリセット番号と判定する場合は、終了する。最終プリセット番号と判定しない場合は、ステップＳ１１６に進み、未だプリセットされない次のプリセット番号を設定し、ステップＳ１１７において、未だプリセットされない放送局リスト４１内の次の放送局にポインタを設定し、ステップＳ１１２に戻る。
【００４４】
なお、上記の例では、プリセット番号は小さい順（昇順）に各放送局の物理チャンネルと関連付けたが、ユーザの使用状況によっては、大きい順（降順）に関連付けても良いし、その他の規則に則って関連付けてもかまわない。
【００４５】
以上のように、プリセット処理が完了すると、ユーザが、例えば図８に示すプリセット番号「１」〜「４」にそれぞれ対応するプリセットボタン２１１ａ〜２１１ｄを押下することにより、処理部３は、プリセット情報４２を参照して、プリセット番号に対応する物理チャンネル（周波数）をチューナ部１１２に選局させることができる。
【００４６】
デジタル放送受信装置１によれば、放送局リストが、各放送局の放送局位置情報を含むので、放送局リストから各放送局までの距離を算出できる。よって、各放送局までの距離に基づいてプリセット処理を行うことにより、放送エリアの狭いエリアワンセグにおいて、視聴可能な放送局を確実に選択することができる。
【００４７】
−応用例−
本発明の第１の実施の形態に係るデジタル放送送受信システムに用いるデジタル放送受信装置１を、既存のナビゲーションシステムに応用することにより、図８に示すように、プリセット情報４２のプリセット番号と、各放送局とをタッチパネル２上に表示させることができる。
【００４８】
記憶部４に記憶されるプリセット情報４２の各放送局の位置情報は既知であるので、カーナビゲーションシステムにおいて、プリセット情報４２の各放送局を、地図と共に表示部２２に表示させることができる。更に、現在位置情報から、地図上に車両位置をアイコン２２３のように表示させることが可能である。タッチパネル２に送信所とそのプリセット番号、車両位置を表示させることにより、ユーザは、どこのエリアの送信所、例えば遊園地の送信所なのか、ショッピングセンターの送信所なのかを、それぞれの送信所のプリセット番号と共に、地図上で確認できる。
【００４９】
また、タッチパネル２上に表示される各放送局の領域２２１、プリセット番号の領域２２２を操作することにより、操作された領域に対応する放送局を選局することができる。これにより、視聴可能な放送局をより容易に選局したり、進行方向にある放送局の放送を容易に選局したりすることができる。
【００５０】
（第２の実施の形態）
本発明の第２の実施の形態に係るデジタル放送受信装置１は、第１の実施の形態において説明した放送局リストと、カーナビゲーションシステムなどに代表される移動体道路案内システムの地点情報とを応用した放送局情報リストを用いて、自動的に選局を行うことができる。第２の実施の形態において、第１の実施の形態と実質的に同様の構成については重複する説明を省略する。
【００５１】
第２の実施の形態において説明する移動体道路案内システム用放送局情報リスト４３は、移動体道路案内システムのデータベースの一部として、予め記憶部４に記憶されている。移動体道路案内システム用放送局情報リスト４３は、例えば、図９に示すように、カーナビゲーションシステムのデータベースに用いられるフォーマットのひとつであるＫＩＷＩフォーマット（ＪＩＳＤ０８１０「カーナビゲーションシステム用地図データ格納フォーマット」等参照）の、車両の周辺の施設を検索するための地点情報であるＰＯＩ（Ｐｏｉｎｔ  Ｏｆ  Ｉｎｔｅｒｅｓｔ）情報を拡張した書式で記述される。移動体道路案内システム用放送局情報リスト４３は、１つの放送局に対して図９に示すような放送局情報を１つ有する。
【００５２】
例えば、項番「１」、用途「ＲＬＸＹ」には、放送局位置情報として、放送局の経度、緯度座標が記述される。項番「１４」の種別コードには、放送局が存在する施設の種別コードが記述される。種別コードは、例えば図１２に示すように、放送局がガソリンスタンドに存在する場合、０ｘ４０８０と記述される。なお、種別コードは、系列店を識別することも可能なように複数の種別コードが割り振られている。項番「１５」の付帯施設／種別コードには、放送局であることを示す種別コードを記述する。例えば、電波等を表すのに使用されている０ｘ０４０５を使用しても良い。なお、図９の記述タイプと記述宣言に使用されている略号は、ＪＩＳＤ０８１０等に説明される通りである。
【００５３】
図９に示す項番の内、「２７」〜「３２」の６つの項が、拡張により新たに追加した項である。これら６つの項は、非特許文献１において定義された内容を用いることができる。
【００５４】
項番「２７」、用途「ＢＡＩＤ」は、放送局の存在する地域を識別する地域識別（ａｒｅａ＿ｃｏｄｅ）を示す。地域識別は、例えば、図１１（ａ）に示すように、８ビットのデータ幅を有し、下位６ビットに記述される。例えば関東広域圏の地域識別は１である。
【００５５】
項番「２８」、用途「ＢＰＣＨ」は、放送局の物理チャンネル（ｐｈｙｓｉｃａｌ＿ｃｈ）を示す。物理チャンネルは、図１１（ｂ）に示すように、８ビットのデータ幅を有し、下位６ビットに記述される。例えば関東広域圏のＮＨＫ総合の物理チャンネルは２７である。
【００５６】
項番「２９」、用途「ＢＣＮＭ」は、放送局の放送事業者名（ｔｅｒｒｅｓｔｒｉａｌ＿ｂｒｏａｄｃａｓｔｅｒ＿ｉｄ）を示す。放送事業者名は、例えば、図１１（ｃ）に示すように、ｎ文字の名称に対して１６×ｎビットで記述される。
【００５７】
項番「３０」、用途「ＢＳＩＤ」は、放送サービスＩＤ（ｓｅｒｖｉｃｅ＿ｉｄ）を記述する。放送サービスＩＤは、例えば、図１１（ｄ）に示すように１６ビットで記述される。例えば、関東広域圏のＮＨＫ総合のワンセグの放送サービスＩＤは０ｘ０５８０〜０ｘ０５８７である。
【００５８】
項番「３１」、用途「ＢＲＩＤ」を、放送局のリモコンＩＤ（ｒｅｍｏｔｅ＿ｃｏｎｔｒｏｌ＿ｋｅｙ＿ｉｄ）を示す。リモコンＩＤは、例えば、図１１（ｅ）に示すように、８ビットのデータ幅を有し、下位４ビットに記述される。例えば、関東広域圏のＮＨＫ総合のリモコンＩＤは１である。
【００５９】
項番「３２」、用途「ＢＮＵＭ」は、放送局の枝番を示す。枝番は、例えば図１１（ｅ）に示すように、８ビットのデータ幅を有し、下位４ビットに記述される。例えば、関東広域圏のＮＨＫ総合の枝番は０である。
【００６０】
−放送局情報リスト更新−  
図１０のフローチャートを用いて、記憶部４に記憶された移動体道路案内システム用放送局情報リスト４３を更新する方法を説明する。
【００６１】
先ず、ステップＳ２１において、処理部３の放送局リスト処理部３１は、チューナ部１１２に、放送局リスト５１を含む信号を放送する特定放送局５の周波数に同調させ、特定放送局５に選局させる。
【００６２】
ステップＳ２２において、放送局リスト処理部３１は、特定放送局５が放送し、放送用受信部１１が受信して得た放送局リスト５１を放送用受信部１１から取得し、記憶部４に、放送局リスト４１として記憶させる。
【００６３】
ステップＳ２３において、移動体道路案内システム用放送局情報リスト処理部３４は、ステップＳ２２において記憶部４に記憶させた、放送局リスト４１に記述される放送局の内、１つの放送局にポインタを設定する。
【００６４】
ステップＳ２４において、移動体道路案内システム用放送局情報リスト処理部３４は、ポインタを設定された放送局について、放送局リスト４１に基づいて、仕様変更後または新規に稼働開始した放送局か否かを判定する。仕様変更後または新規に稼働開始した放送局と判定する場合は、ステップＳ２５に進み、放送局リストのパラメータ変更があるか否かを判定する。パラメータ変更があると判定しない場合は、新規に稼働開始した放送局として、ステップＳ２６において、その稼動開始された放送局の放送局情報を移動体道路案内システム用放送局情報リスト４３に追加し、ステップＳ２８に進む。パラメータ変更があると判定する場合は、ステップＳ２７において、仕様変更後の放送局として、移動体道路案内システム用放送局情報リスト４３におけるその仕様変更された放送局の放送局情報を更新し、ステップＳ２８に進む。ステップＳ２４において仕様変更後または新規に稼働開始した放送局と判定しない場合は、ステップＳ２８に進む。
【００６５】
ステップＳ２８において、移動体道路案内システム用放送局情報リスト処理部３４は、ポインタを設定された放送局について、放送局リスト４１内の最終放送局か否かを判定する。最終放送局と判定しない場合は、ステップＳ２９に進み、放送局リスト内の次の放送局にポインタを設定し、ステップＳ２４に戻る。最終放送局と判定する場合は、終了する。
【００６６】
−自動選局−
図１３のフローチャートを用いて、第２の実施の形態に係るデジタル放送送受信システムにおいて、デジタル放送受信装置１が、視聴可能な放送局を自動的に選局する方法を説明する。
【００６７】
先ず、ステップＳ３０１において、現在位置情報取得部１２は、ＧＰＳ用アンテナ１２１が受信した信号に基づいて現在位置情報算出部１２２が算出した現在位置情報を取得する。
【００６８】
ステップＳ３０２において、処理部３の自動選局処理部３５は、移動体道路案内システム用放送局情報リスト４３の項番「２７」、放送地域識別を参照し、ステップＳ３０１において現在位置情報取得部１２が取得した現在位置情報の放送地域識別（ａｒｅａ＿ｃｏｄｅ）と合致する放送地域識別を有する放送局情報の放送局を全て読み出す。
【００６９】
ステップＳ３０３において、処理部３の距離算出部３２は、ステップＳ３０２において読み出した放送局の内、１つの放送局にポインタを設定する。
【００７０】
ステップＳ３０４において、距離算出部３２は、ポインタを設定された放送局について、放送局情報の項番「１」の放送局位置情報と、ステップＳ３０１において現在位置情報取得部１２が取得した現在位置情報とから、現在位置から放送局までの距離を算出する。
【００７１】
ステップＳ３０５において、距離算出部３２は、直前のステップＳ３０４において距離を算出された放送局が、ステップＳ３０２において読み出した放送局の内の最終放送局か否かを判定する。最終放送局と判定する場合は、ポインタを解除し、ステップＳ３０７に進む。最終放送局と判定しない場合はステップＳ３０６に進み、ステップＳ３０２において読み出した放送局の内、未だ距離が算出されない次の放送局にポインタを設定し、ステップＳ３０４に戻る。
【００７２】
ステップＳ３０７において、自動選局処理部３５は、ステップＳ３０４において現在位置からの距離を算出された放送局の内、最も現在位置からの距離が近い放送局を選択する。ステップＳ３０８において、自動選局処理部３５は、ステップＳ３０７において選択した放送局の、現在位置からの距離が、所定の閾値より近いか否かを判定する。ステップＳ３０８における判定処理は、放送エリアが狭いエリアワンセグ放送が受信できることを確認するために行われる。
【００７３】
ステップＳ３０８において所定の閾値より近いと判定しない場合、ステップＳ３０１に戻る。所定の閾値より近いと判定する場合、ステップＳ３０９において、自動選局処理部３５は、放送用受信部１１に、ステップＳ３０７において選択した放送局を選局させる。ステップＳ３１０において、ステップＳ３０９において選局した放送局を視聴可能か否かを判定し、視聴できない場合、ステップＳ３０１に戻る。
【００７４】
以上のように、ＰＯＩ情報を利用した移動体道路案内システム用放送局情報リストを用いることにより、例えば車両に搭載されたデジタル放送受信装置１の現在位置により、視聴可能な放送局を自動的に選局することができる。移動体道路案内システム用放送局情報リストは、各放送局の放送局位置情報を含む放送局リストに基づいて生成されるため、放送局までの距離が分かり、放送エリアの狭いエリアワンセグ放送において、視聴可能な放送局を確実に選択することができる。
【００７５】
（その他の実施の形態）
上記のように、本発明は第１及び第２の実施の形態によって記載したが、この開示の一部をなす論述及び図面は本発明を限定するものであると理解すべきではない。この開示から当業者には様々な代替実施の形態、実施例及び運用技術が明らかとなろう。
【００７６】
例えば、説明を簡単にするために、放送波を示す情報として周波数情報のみを記述する例を挙げた。しかし、実際には、ＴＭＣＣ情報に記載されている各種情報が放送波を示す情報として記述される。また、選局のために処理部３がチューナ部１１２に設定する情報も、チャンネル（周波数）情報のみを設定する説明にしているが、実際には、ＴＭＣＣ情報に記載されている各種情報を設定することになる。
【００７７】
また、第１の実施の形態において説明したステップＳ１１２の判定処理は、放送局までの距離に加え、放送出力等を用いて判定しても良い。
【００７８】
また、異なる位置に設置された複数の放送局が同一の放送を同時にする場合、移動体道路案内システム用放送局情報リスト４３の項番「１４」の種別コードが同じものを優先的に選局するようにしてもよい。これにより、同一の放送をしている送信局が近距離にある場合は、移動体が移動しても継続して視聴することが可能になる。
【００７９】
上記の他、第１及び第２の実施の形態を応用した構成等、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００８０】
１…デジタル放送受信装置
２…タッチパネル
３…処理部
４…記憶部
５…特定放送局
１１…放送用受信部
１２…現在位置情報取得部
１５…音声出力部
２１…操作入力部
２２…表示部
３１…放送局リスト処理部
３２…距離算出部
３３…プリセット処理部
３４…移動体道路案内システム用放送局情報リスト処理部
３５…自動選局処理部
４１…放送局リスト
４２…プリセット情報
４３…移動体道路案内システム用放送局情報リスト
５１…放送局リスト
１１１…放送用アンテナ
１１２…チューナ部
１２１…ＧＰＳ用アンテナ
１２２…現在位置情報算出部
【図１】
2012191345.tif 000003
【図２】
2012191345.tif 000004
【図３】
2012191345.tif 000005
【図４】
2012191345.tif 000006
【図５】
2012191345.tif 000007
【図６】
2012191345.tif 000008
【図７】
2012191345.tif 000009
【図８】
2012191345.tif 000010
【図９】
2012191345.tif 000011
【図１０】
2012191345.tif 000012
【図１１】
2012191345.tif 000013
【図１２】
2012191345.tif 000014
【図１３】
2012191345.tif 000015